(57)【要約】【課題】  標準的ディスクカートリッジの記録及び／又は再生装置にも装着可能な小型のディスクカートリッジを提供する。【解決手段】  第１の開口部２４が形成された下シェル７と、この下シェル７に付き合わされる上シェル６とからなるカートリッジ本体２と、カートリッジ本体２内に回転可能に収納されると共に光ディスク３を収納し、収納した光ディスク３を外部に臨ませる第２の開口部４４が形成されたローテーションホイール４と、下シェル７とローテーションホイール４との間に位置して、ローテーションホイール４の回転に連動して第１の開口部２４と第２の開口部４４とが一致したとき、これらの開口部２２，２４とを開放する一対のシャッタ板５ａ，５ｂとを備え、ローテーションホイール４には、記録及び／又は再生装置への挿入端となる前面に、記録及び／又は再生装置側のシャッタ開放部が係合する被操作部４５が形成されていると共に、第１の開口部２４の周縁部に係合する係合溝４５ｃが形成されている。【選択図】  図１１
2005078676.tif 000002
【特許請求の範囲】
【請求項１】
記録及び／又は再生用の第１の開口部が形成された下シェルと、この下シェルに付き合わされる上シェルとからなるカートリッジ本体と、
上記カートリッジ本体内に回転可能に収納されると共にディスクを収納し、収納したディスクを外部に臨ませる上記第１の開口部に対応した第２の開口部が形成されたローテーションホイールと、
上記下シェルと上記ローテーションホイールとの間に位置して、上記ローテーションホイールの回転に連動して回動する一対のシャッタ板を有し、上記第１の開口部と上記第２の開口部とが一致したとき、上記第１の開口部と上記第２の開口部とを開放するシャッタ機構とを備え、
上記ローテーションホイールには、記録及び／又は再生装置への挿入端となる前面に、記録及び／又は再生装置側のシャッタ開放部が係合する被操作部が形成されていると共に、上記被操作部には、上記一方のシャッタ板に係合する係合溝が形成されているディスクカートリッジ。
【請求項２】
更に、一端がカートリッジ本体に係止され、他端がローテーションホイールに係止され、上記シャッタ機構が第２の開口部を閉塞する方向に上記ローテーションホイールを付勢する付勢部材を備える請求項１記載のディスクカートリッジ。
【発明の詳細な説明】
【技術分野】
【０００１】
本発明は、シャッタ部材の撓みを防止してカートリッジ本体内に塵埃等が侵入することを防止するディスクカートリッジに関する。
【背景技術】
【０００２】
ディスクカートリッジには、下記特許文献１のようなものがある。この特許文献１のディスクカートリッジは、カートリッジ本体の記録再生用の開口部を一対のシャッタ板が結合して閉塞している。しかしながら、カートリッジ本体の開口部を閉塞している一対のシャッタ板が無理に押されたときなどは、シャッタ板とカートリッジ本体の第１の開口部周縁部との間に間隙が発生してしまう。間隙が発生すると、この間隙からカートリッジ本体内に塵埃等が侵入することになり、塵埃等は内部に収納されたディスクに付着すると、正確に情報信号を記録し、又は、記録された情報信号を読み出すことができなくなってしまう。
【０００３】
また、このディスクカートリッジに用いるディスクと記録フォーマットを共通にした小型の光ディスクを用いた小型のディスクカートリッジを提供する場合、単に寸法を小さくすることはできない。これは、記録及び／又は再生装置に装填するとき、光ピックアップの進入する記録再生用の開口部等は、互換性を図るため小さくすることはできず、標準的大きさのディスクカートリッジの記録再生用の開口部と同じ大きさにしなければならない。したがって、小型のディスクカートリッジでは、開口部の全体に占める割合が大きくなり、強度的に弱くなってしまう。
【０００４】
例えば、強度の低下によりカートリッジ本体が撓みやすくなると、シャッタ部材とカートリッジ本体との間等に間隙が更に生じやすくなり、内部に塵埃等が侵入しやすくなる。また、カートリッジ本体やシャッタ部材が撓み変形して収納されたディスクに接触してしまうことがある。ディスクに塵埃等が付着したり、カートリッジ本体やシャッタ部材がディスクに接触して傷が付くと、ディスクに対して正確に情報信号を記録し、又は、記録された情報信号を読み出すことができなくなる。
【０００５】
【特許文献１】特開平２００３−１０９３４３号公報
【発明の開示】
【発明が解決しようとする課題】
【０００６】
本発明は、以上のような問題点に鑑みてなされたものであり、その目的は、シャッタ部材の撓み変形を防止して、カートリッジ本体内に塵埃等が侵入することを防止するディスクカートリッジを提供することにある。
【課題を解決するための手段】
【０００７】
本発明に係るディスクカートリッジは、記録及び／又は再生用の第１の開口部が形成された下シェルと、この下シェルに付き合わされる上シェルとからなるカートリッジ本体と、上記カートリッジ本体内に回転可能に収納されると共にディスクを収納し、収納したディスクを外部に臨ませる上記第１の開口部に対応した第２の開口部が形成されたローテーションホイールと、上記下シェルと上記ローテーションホイールとの間に位置して、上記ローテーションホイールの回転に連動して回動する一対のシャッタ板を有し、上記第１の開口部と上記第２の開口部とが一致したとき、上記第１の開口部と上記第２の開口部とを開放するシャッタ機構とを備える。そして、上記ローテーションホイールには、記録及び／又は再生装置への挿入端となる前面に、記録及び／又は再生装置側のシャッタ開放部が係合する被操作部が形成されていると共に、上記被操作部には、上記一方のシャッタ板に係合する係合溝が形成されている。
【発明の効果】
【０００８】
本発明によれば、ローテーションホイールの被操作部の係合溝が一方のシャッタ板に係合するので、シャッタ板の撓み変形を防止して、カートリッジ本体内に塵埃等が侵入することを防止することができる。
【発明を実施するための最良の形態】
【０００９】
以下、本発明が適用されたディスクカートリッジについて、図面を参照して説明する。本発明を適用したディスクカートリッジは、上述した特許文献１に示した標準的大きさのディスクカートリッジの記録及び／又は再生装置にも装着可能なディスクカートリッジである。特許文献１のディスクカートリッジは、直径略１２ｃｍの光ディスクを記録媒体に用いるのに対して、本発明を適用したディスクカートリッジは、標準的大きさのディスクカートリッジの光ディスクより小径の光ディスクを記録媒体に用いる。本発明を適用したディスクカートリッジは、特許文献１のディスクカートリッジに比べて小径の光ディスクを用い小型であるから、記録容量は標準的大きさのディスクカートリッジに比べ小さいものの、携帯性に優れている。
【００１０】
図１乃至図３に示すように、本発明を適用したディスクカートリッジ１は、カートリッジ本体２の内部に、光ディスク３が収納されるローテーションホイール４と、シャッタ機構となる一対のシャッタ板５ａ，５ｂとを収納してなる。このカートリッジ本体２は、互いに組み合わされる一組の上シェル６と下シェル７とを付き合わせて構成されている。
【００１１】
このディスクカートリッジ１に用いられる光ディスク３は、中心部に、記録及び／又は再生装置側のディスク回転駆動機構が係合されるセンタ孔３ａが形成されている。なお、光ディスク３としては、記録する情報信号に対応したピットパターンがディスク基板に形成された再生専用の光ディスクであってもよく、また、記録層に相変化材料を用いる書換型光ディスクであってもよく、更に、記録層に有機色素材料等を用いる追記型の光ディスクであってもよい。更に、使用される記録媒体としては、光ディスクの他、光磁気ディスク、磁気ディスク等であってもよい。
【００１２】
カートリッジ本体２を構成する上シェル６は、図４に示すように、樹脂材料を射出成形することにより形成されている。この上シェル６は、全体略矩形状の主面のうち、記録及び／又は再生装置への挿入端側となる前面が略円弧形状とされている。また、この上シェル６には、カートリッジ本体２の側面をなす外周壁８が主面の外周縁部に沿って立設されている。
【００１３】
外周壁８には、前面側の中央部に位置して、記録及び／又は再生装置側の光ピックアップを進入させるための第１のピックアップ進入用凹部９が形成されている。また、外周壁８には、下シェル７と結合するためのねじ穴を形成した複数のボス１０が例えば各コーナ部近傍に形成されている。
【００１４】
また、外周壁８の内周側には、図５に示すように、ローテーションホイール４を回転可能に収納する略円環状の内周壁１１が外周壁８に内接するように形成されている。この内周壁１１には、前面側の中央部に位置して、記録及び／又は再生装置側の光ピックアップを進入させるための第２のピックアップ進入用凹部１２が形成されている。この内周壁１１は、内側にローテーションホイール４が回転可能に収納され、ローテーションホイール４が回転するときのガイド壁として機能する。また、上シェル６の主面部は、ローテーションホイール４が収納されたとき、ローテーションホイール４とでディスク収納部を構成する。また、内周壁１１の内側基端部であって第２のピックアップ進入用凹部１２の近傍には、ローテーションホイール４を持ち上げるリフタ１４が形成されている。このリフタ１４は、ローテーションホイール４が、シャッタ板５ａ，５ｂ第１の開口部２４を閉塞するとき、下シェル７側に持ち上げる。
【００１５】
上シェル６の内面略中央部には、記録及び／又は再生装置側のディスク回転駆動部を構成するディスクテーブルと共に光ディスク３を挟持するクランピングプレート１３が取り付けられている。このクランピングプレート１３は、取付リング１３ａによって取り付けられる。具体的に、クランピングプレート１３は、取付リング１３ａと上シェル６の内面略中央部とで挟み込むようにし、取付リング１３ａを上シェル６の内面略中央部に溶着等により固定することによって取り付けられる。光ディスク３は、センタ孔３ａにディスクテーブルが係合し、更にディスクテーブルとクランピングプレート１３で挟持されることにより、ディスク収納部内で回転可能な状態となる。
【００１６】
なお、上シェル６の内面には、更に、後述する下シェル７のロケーションホール２６ａを構成する立ち上がり壁１６ａやアライメントホール２６ｂを構成する立ち上がり壁１６ｂが形成されている。
【００１７】
以上のように構成される上シェル６に結合される下シェル７は、図２、図３及び図６に示すように、上述した上シェル６と同様に、樹脂材料を射出成形することにより形成されている。この下シェル７は、全体略矩形状の主面のうち、記録及び／又は再生装置に挿入される前面側が略円弧形状とされている。この下シェル７には、カートリッジ本体２の側面をなす外周壁２１が主面の外周縁に沿って立設され、更に、外周壁２１に内接するように、内周壁２８が形成されている。
【００１８】
この下シェル７には、外周壁２１の前面側の中央部が光ピックアップやディスクテーブルが進入できるように開放された第１の開口部２４が形成されている。この第１の開口部２４は、前面側の開放端から光ディスク３の信号記録面の一部を内外周に亘って外方へ臨ませる略矩形状の光ピックアップ用開口部２４ａと、光ピックアップ用開口部２４ａと連続した光ディスク３のセンタ孔３ａを外部に臨ませる回転駆動用開口部２４ｂとから構成されている。すなわち、記録再生用開口部２４ａは、記録及び／又は再生装置の光ピックアップをカートリッジ本体２の内部に進入させるのに足る大きさに形成されており、回転駆動用開口部２４ｂは、記録及び／又は再生装置のディスク回転駆動機構を構成するディスクテーブルをカートリッジ本体２の内部へと進入させるのに足る大きさに形成されている。更に、光ピックアップ用開口部２４ｂの一方の開口端側は、開口端が拡幅する方向に傾斜するテーパ部２４ｃが形成されている。このテーパ部２４ｃは、後述するローテーションホイール４の被操作部４５がシャッタ板５ａ，５ｂが第１の開口部２４を開放した状態に位置したとき、被操作部４５が収容される部分となる。
【００１９】
第１の開口部２４を構成する記録再生用開口部２４ａの一方の側縁部及び駆動用開口部２４ｂの一方の側縁には、一対のシャッタ板５ａ，５ｂが第１の開口部２４を閉塞しているとき、カートリッジ本体２内に塵埃等が侵入することを防止する凸部２７が複数形成されている。
【００２０】
また、外周壁２１の背面側には、上述した上シェル６側のねじ穴が形成されたボス１０に付き合わされる貫通孔が形成されたボス２２が形成されている。図２に示すように、上シェル６と下シェル７とは、下シェル７のボス２２の貫通孔よりねじ２３を挿通し、上シェル６のボス１０のねじ穴に螺合することによって結合される。
【００２１】
更に、下シェル７の前面には、両脇に、ディスクカートリッジ１を記録及び／又は再生装置に挿入される際に記録及び／又は再生装置側の挿入ガイド部材が係合する挿入ガイド溝２５ａ，２５ｂが形成されている。挿入ガイド溝２５ａ，２５ｂは、図７に示すように、前面開口端側が最も幅広に形成され、挿入ガイドピン１００が進入しやすく形成されている。なお、挿入ガイド溝２５ａ，２５ｂの最奥部が挿入ガイドピン１００の太さと略同じになるように形成してもよい。これにより、ディスクカートリッジ１が記録及び／又は再生装置の装着部に装着されたときにも、面方向の位置決めを図ることができ、がたつきを防止することができる。また、一方の挿入ガイド溝２５ｂには、後述するが、ロック機構７１が設けられ、ロック機構７１を構成するロック部材７２のロック解除片７７が臨まされ、挿入ガイド溝２５ｂに係合する挿入ガイドピン１００は、ロック解除片７７を押圧するロック解除ピンとして機能する。
【００２２】
更に、下シェル７の背面側の一方のコーナ部近傍には、図２及び図６に示すように、ディスクカートリッジ１を記録及び／又は再生装置に位置決めして装着するための基準穴となるロケーションホール２６ａが形成されている。また、他方のコーナ部近傍には、調整用のアライメントホール２６ｂが形成されている。
【００２３】
なお、上シェル６と下シェル７とが付き合わされて構成されたカートリッジ本体２の記録及び／又は再生装置への挿入方向と平行な両側面部には、図１及び図２に示すように、前面側から背面側に亘って、記録及び／又は再生装置へ挿入する際のガイド溝１５が形成されている。
【００２４】
上シェル６と下シェル７とが付き合わされると、内周壁１１の内側にローテーションホイール４を収納する収納部が構成される。この収納部に収納されるローテーションホイール４は、図８及び図９に示すように、樹脂材料を射出成形することにより形成されている。このローテーションホイール４の主面部は、略皿状をなし、凹部側がカートリッジ本体２内に配設されたとき、上シェル６とシャッタ板５ａ，５ｂの一方の主面とでディスク収納部を構成する。このローテーションホイール４は、略円形に形成されており、その外周縁部には、リング部４３が立設されている。ローテーションホイール４の主面部には、下シェル７に設けられた第１の開口部２４と略同じ大きさの第２の開口部４４が形成されている。
【００２５】
この第２の開口部４４は、下シェル７の第１の開口部２４と一致したとき、収納した光ディスク３を外部に臨ませる。すなわち、この第２の開口部４４は、第１の開口部２４の光ピックアップ用開口部２４ａに対応した開口部と回転駆動用開口部２４ｂに対応した開口部で構成されている。また、この第２の開口部４４は、第１の開口部２４との誤差を吸収するため、中心側から外周側に向かって徐々に拡幅するように形成され、ローテーションホイール４の製造誤差や取付誤差によって、第１の開口部２４が小さくならないようにしている。例えば、第２の開口部４４は、径方向の両側縁が１°程度外側に傾斜するように形成されている。
【００２６】
また、リング部４３の基端部は、図８に示すように、主面部側へ傾斜するテーパ部４２が形成されている。テーパ部４２は、光ディスク３の外周縁を線接触で支持し、光ディスク３の信号記録面がローテーションホイール４の主面部と面接触し、傷が付かないようにしている。
【００２７】
また、第２の開口部４４の外側の面には、図２に示すように、一対のシャッタ板５ａ，５ｂが位置する。そこで、図９に示すように、第２の開口部４４の相対向する側縁部には、一対のシャッタ板５ａ，５ｂが第２の開口部４４内に入り込まないようにするためのテーパ部４４ａ，４４ｂが形成されている。更に、ローテーションホイール４には、シャッタ板５ａ，５ｂが第１及び第２の開口部２４，４４を閉塞しているとき、シャッタ板５ａに係合し、シャッタ板５ａの浮き上がりを防止する係合溝５０が形成されている。この係合溝５０は、第１の開口部２４の側縁部側を開口端として断面略Ｌ字状に形成された片により形成されている。
【００２８】
ローテーションホイール４の第２の開口部４４近傍には、図１０に示すように、外側に突出して、記録及び／又は再生装置側のシャッタ開放機構を構成するシャッタ開放ピン４１が係合する被操作部４５が形成されている。被操作部４５は、第１の被操作片４５ａと第２の被操作片４５ｂとにより記録及び／又は再生装置側を開放した凹部を構成しており、ここに、記録及び／又は再生装置側のシャッタ開放ピン４１が係合される。第１の被操作片４５ａは、ローテーションホイール４を、シャッタ板５ａ，５ｂが第１及び第２の開口部２４，４４を開放する方向に回動するときに、シャッタ開放ピン４１が突き当たる片であり、第２の被操作片４５ｂは、ローテーションホイール４を、シャッタ板５ａ，５ｂが第１及び第２の開口部２４，４４を閉塞する方向に回動するときに、シャッタ開放ピン４１が突き当たる片となる。後述するが、ローテーションホイール４は、付勢部材４８によって、シャッタ板５ａ，５ｂが第１及び第２の開口部２４，４４を開放する図１０中矢印Ａ方向に付勢されており、従って、第１の被操作片４５ａには、第２の被操作片４５ｂより大きな力が加わる。そこで、第１の被操作片４５ａは、機械的強度が増すように第２の被操作片４５ｂより大きく形成され、ここでは、第１の被操作片４５ａの高さｈ１が、第２の被操作片４５ｂの高さｈ２より大きくなるように形成されている。そして、第１の被操作片４５ａは、第２の被操作片４５ｂより高く形成し、機械的強度を高め、更に、シャッタ開放ピン４１がより確実に係合するようにしている。
【００２９】
以上のように構成された被操作部４５は、ローテーションホイール４の回転に伴って、第１の開口部２４が形成された下シェル７の前面より外部に露出し、第１の開口部２４の幅方向に移動する。被操作部３５は、シャッタ板５ａ，５ｂが第１の開口部２４を開放しているとき、テーパ部２４ｃにより拡幅された部分に位置する。
【００３０】
この被操作部４５には、第１の被操作片４５ａと第２の操作片４５ｂの基端部に、図１１に示すように、第１のシャッタ板５ａに係合する係合溝４５ｃが形成されている。係合溝４５ｃは、シャッタ板５ａ，５ｃが第１及び第２の開口部２４，４４を閉塞しているとき、第１のシャッタ板５ａに係合することで、第１のシャッタ板５ａの浮き上がりや浮き沈みを防止する。したがって、第１の開口部２４の周縁部と第１のシャッタ板５ａとの隙間が無くなり、カートリッジ本体２内に塵埃等が侵入することを防止することができる。すなわち、被操作部４５の係合溝４５ｃは、ローテーションホイール４の第２の開口部４４近傍に形成された係合溝５０と相俟って、第１のシャッタ板５ａの浮き上がりや浮き沈みを防止する。したがって、第２の開口部４４とシャッタ板５ａとの隙間が無くなり、カートリッジ本体２内に塵埃等が侵入することを防止することができる。
【００３１】
なお、第２の被操作片４５ｂは、下シェル７の第１の開口部２４の周縁部の一部と対向する上シェル６の外周壁８と内周壁１１とを連結する規制部２９に突き当たることで、ローテーションホイール４の回動領域が規制される。
【００３２】
また、ローテーションホイール４と下シェル７との間には、一対のシャッタ板５ａ，５ｂが配設される。そこで、ローテーションホイール４のシャッタ板５ａ，５ｂが配設される面には、図９に示すように、シャッタ板５ａ，５ｂとの接触面積を減らし、摺動抵抗を減らすための突部４６が複数形成されている。突部４６は、例えば２０μｍ程度突出して形成されている。
【００３３】
以上のようなローテーションホイール４は、コイルバネ等で構成された付勢部材４８によって、シャッタ板５ａ，５ｂが第１及び第２の開口部２４，４４を閉塞する方向に回動付勢されている。この付勢部材４８は、一端がローテーションホイール４のリング部４３に形成された係止片４８ａに係止され、他端が図４に示す上シェル６の内面に形成された係止突起４８ｂに係止されている。そして、付勢部材４８は、ローテーションホイール４の回転に伴って伸縮するが、上シェル６の内面であって内周壁１１の外側に形成された立ち上がり壁と外周壁８とで形成されたガイド溝４９でガイドされ、伸縮時にカートリッジ本体２内で暴れないようにしている。また、ローテーションホイール４の外周縁にも、図８及び図９に示すように、このガイド溝４９をほぼ閉塞するフランジ部４７が形成されている。
【００３４】
なお、上シェル６の内面に形成されている係止突起４８ｂは、図１２に示すように、上シェル６と下シェル７とが結合されたとき、先端部が下シェル７の内面に形成された略筒状の補強リブ４８ｃに係合され、付勢部材４８の付勢力が加わる係止突起４８ｂを補強している。
【００３５】
以上のように構成されたローテーションホイール４は、付勢部材４８によりシャッタ板５ａ，５ｂが第１及び第２の開口部２４，４４を閉塞する方向に付勢されており、被操作部４５が記録及び／又は再生装置側のシャッタ開放ピン４１によって、シャッタ板５ａ，５ｂが第１及び第２の開口部２４，４４を開放する方向に回転される。このとき、内周壁１１は、ローテーションホイール４が回転するときのガイド壁として機能する。
【００３６】
下シェル７に形成された第１の開口部２４やローテーションホイール４に形成された第２の開口部４４を開閉するシャッタ機構を構成する一対のシャッタ板５ａ，５ｂは、図１３に示すように、５ａが大きく、５ｂが５ａに対して小さく形成されている。
【００３７】
図１３に示すように、大きい方の第１のシャッタ板５ａは、第１及び第２の開口部２４，４４を閉塞する第１のシャッタ部５１と、上シェル６の内面であって外周壁８と内周壁１１との間に形成された第１の支軸５２に回動支持される第１の回動支持部５３と、小さい方の第２のシャッタ板５ｂが取り付けられる第２の軸孔５４とを備える。
【００３８】
第１のシャッタ部５１は、第２の開口部４４の閉塞時にローテーションホイール４の第２の開口部４４の一側縁に位置する第１の側縁部５１ａと、第１の側縁部５１ａに連続した第２の側縁部５１ｂと、第２の側縁部５１ｂに連続した第３の側縁部５１ｃとを有する。第２の側縁部５１ｂは、第１の側縁部５１ａより内方に折曲し、第３の側縁部５１ｃは、第２の側縁部５１ｂに対して外側に折曲するように形成されている。更に、第１乃至第３の側縁部５１ａ〜５１ｃと対向する第４の側縁部５１ｄには、上シェル６や下シェル７の一方のコーナ部に形成されたボス１０，２２、ローテーションホール２６ａ、誤記録防止部材等を逃げるための波線状の逃げ部５１ｅが形成されている。第２の側縁部５１ｂと第３の側縁部５１ｃとは、互いに逆向きにテーパ部で構成されている。また、第１の側縁部５１ａは、ローテーションホイール４に形成された係合溝５０に係合し、浮き上がりが防止される。
【００３９】
更に、第１のシャッタ部５１には、下シェル７側の面に、下シェル７の第１の開口部２４の周縁部に形成された凸部２７と係合する溝部５１ｆが形成されている。溝部５１ｆは、シャッタ板５ａ，５ｂが第１及び第２の開口部２４，４４を閉塞しているとき、ローテーションホイール４が上シェル６のリフタ１４により下シェル７側に持ち上がり、第１の開口部２４の周縁部に形成された凸部２７と係合することで、カートリッジ本体２内に塵埃等が侵入することを防止する。
【００４０】
更に、第１のシャッタ部５１の光ディスク３側の面には、ローテーションホイール４の主面部に形成されたガイド溝５５に係合するガイド突起５１ｇが形成されている。ガイド突起５１ｇは、ローテーションホイール４のガイド溝５５に係合することで、第１のシャッタ板５ａの回動を規制する。更に、第１のシャッタ部５１には、光ディスク３側の面に、シャッタ板５ａの変位を規制する規制突起５１ｈが形成されている。規制突起５１ｈは、シャッタ板５ａ，５ｂが第１及び第２の開口部２４，４４を閉塞しているとき、光ディスク３のセンタ孔３ａの周囲の内周側非信号記録領域に対応する位置に設けられ、仮に第１のシャッタ板５ａが押されて内側に変位したときであっても、光ディスク３の信号記録領域を傷つけないようにしている。この規制突起５１ｈは、シャッタ板５ａ，５ｂが第１及び第２の開口部２４，４４を開放しているとき、ローテーションホイール４の中央よりに形成された逃げ溝５６に進入し、シャッタ板５ａの回動を阻害しないようにする。
【００４１】
シャッタ板５ａの第１の回動支持部５３には、シャッタ部５１より厚く形成され、強度が高くなるように形成され、ここに、上シェル６に形成された第１の支軸５２が挿通される第１の軸孔５３ａが形成されている。第１の支軸５２は、図１４に示すように、第１の軸孔５３ａに挿通されたとき、第１の回動支持部５３より突出する高さに形成されている。この第１の支軸５２の先端部は、下シェル７に形成された軸受部５７に係合し、落下等の衝撃が加わっても第１の回動支持部５３が第１の支軸５２から外れないようにすると共に、第１の支軸５２の強度補強をしている。
【００４２】
以上のような第１のシャッタ板５ａに係合する第２のシャッタ板５ｂは、図１３に示すように、第１のシャッタ部５１と共に、第１及び第２の開口部２４，４４を閉塞する第２のシャッタ部６１と、第１のシャッタ板５ａに形成された第２の軸孔５４に取り付けられる第２の回動支持部６２とを有する。
【００４３】
第２のシャッタ部６１は、第１のシャッタ部５１の第２の側縁部５１ｂと係合する第１の側縁部６１ａと、第１の側縁部６１ａと連続し第１のシャッタ部５１の第３の側縁部５１ｃと係合する第２の側縁部６１ｂと、第２の側縁部６１ｂの反対側に第１の側縁部６１ａと連続した第３の側縁部６１ｃとを有する。第１の側縁部６１ａは、第１のシャッタ部５１の第２の側縁部５１ｂのテーパ部とは逆向きのテーパ部で構成され、第２の側縁部６１ｂは、第１のシャッタ部５１の第３の側縁部５１ｃのテーパ部と逆向きのテーパ部で構成されている。更に、第１の側縁部６１ａのテーパ部と第２の側縁部６１ｂのテーパ部も逆向きに形成されている。シャッタ板５ａ，５ｂが第１及び第２の開口部２４，４４を閉塞したとき、第１のシャッタ部５１の第２の側縁部５１ｂと第２のシャッタ部６１の第１の側縁部６１ａのテーパ部とが噛み合い、更に、第１のシャッタ部５１の第３の側縁部５１ｃのテーパ部と第２のシャッタ部６１の第２の側縁部６１ｂのテーパ部とが噛み合い、それぞれは、逆向きに噛み合う。したがって、一対のシャッタ板５ａ，５ｂが第１及び第２の開口部２４，４４を閉塞しているとき、シャッタ板５ａ，５ｂは、互いに噛み合うことで、結合部より内部に塵埃等が侵入することを防止すると共に、シャッタ板５ａ，５ｂが押されたとき、撓みにくくしている。
【００４４】
また、シャッタ板５ａ，５ｂが第１及び第２の開口部２４，４４を閉塞しているとき、ローテーションホイール４に形成された被操作部４５の係合溝４５ｃには、第１のシャッタ板５ａが係合し、更に、係合溝５０には、第１のシャッタ部５１の第１の側縁部５１ａが係合することによって、第１のシャッタ板５ａの浮き上がりや浮き沈みを防止する。したがって、第１の開口部２４の周縁部と第１のシャッタ板５ａとの隙間が無くなり、カートリッジ本体２内に塵埃等が侵入することを防止している。
【００４５】
また、第３の側縁部６１ｃの第１の側縁部６１ａと反対側の端部には、突起部６１ｄが形成されている。この突起部６１ｄは、第２のシャッタ板５ｂが第１及び第２の開口部２４，４４を閉塞しているとき、下シェル７の前面側の第１の開口部２４近傍に形成された係合部６１ｅに係合され、第１の開口２４と第２のシャッタ板５ｂとの隙間から塵埃等が侵入しないようにしている。
【００４６】
また、第２のシャッタ部６１には、ローテーションホイール４に形成された第１の制御突起６３が係合される溝で構成された第１のカム部６４が形成されている。この第１のカム部６４は、第１の制御突起６３が係合することで、第２のシャッタ板５ｂの回動を制御する。第１のカム部６４は、ローテーションホイール４の外周側の幅狭な幅狭部６４ａと、ローテーションホイール４の中央よりの幅狭部６４ａより拡幅した拡幅部６４ｂとからなり、幅狭部６４ａは、第２のシャッタ板５ｂが第１及び第２の開口部２４，４４を開放する際の前半部分で第２のシャッタ板５ｂを回動し、第１の制御突起６３が拡幅部６４ｂに移動すると、第２のシャッタ板５ｂに対しては何も作用しない。
【００４７】
なお、ローテーションホイール４に形成された第１の制御突起６３の先端部は、図１５に示すように、下シェル７の内面に形成された逃げ溝６３ａに係合し、第１のカム部６４から衝撃等によって脱落することを防止する。
【００４８】
また、第２のシャッタ部６１には、ローテーションホイール４の主面部に形成された溝で構成された第２のカム部６５に係合する第２の制御突起６６が形成されている。第２のカム部６５は、ローテーションホイール４の中央側で第１の方向に湾曲した第１の湾曲部６５ａと、ローテーションホイール４の外周側で第１の湾曲部６５ａとは反対側の第２の方向に湾曲した第２の湾曲部６５ｂとからなり、第１の湾曲部６５ａは、第２のシャッタ板５ｂが第１及び第２の開口部２４，４４を開放する際の前半部分で何も作用せず、第２の制御突起６６が第２の湾曲部６５ｂに移動すると、すなわち第２のシャッタ板５ｂの回動の後半部分で、第２の湾曲部６５ｂは、上述の第１のカム部６４に代わって、第２のシャッタ板５ｂを回動する。
【００４９】
第２の回動支持部６２には、第２の支軸６２ａが形成され、この第２の支軸６２ａは、第１のシャッタ板５ａの第１の回動支持部５３に形成された第２の軸孔５４に挿通される。したがって、第２のシャッタ板５ｂは、ローテーションホイール４に対して回動するのではなく、第１のシャッタ板５に対して回動する。なお、第２の支軸６２ａの先端部は、図１６に示すように、第２の回動支持部６２より突出し、先端部が下シェル７の内面に形成された逃げ溝６２ｂに係合し、第２の軸孔５４から衝撃等によって脱落することを防止する。
【００５０】
次に、ローテーションホイール４の回転と一対のシャッタ板５ａ，５ｂの動作について図１７及び図１８を参照して説明する。図１７は、一対のシャッタ板５ａ，５ｂが第１及び第２の開口部２４，４４を閉塞した状態を示している。一対のシャッタ板５ａ，５ｂが第１及び第２の開口部２４，４４を閉塞しているとき、ローテーションホイール４は、付勢部材４８の付勢力により図１７中矢印Ａ方向に回動付勢された状態にあり、被操作部４５は、第１の開口部２４の一側縁に位置している。そして、第１のシャッタ部５１の第２の側縁部５１ｂと第２のシャッタ部６１の第１の側縁部６１ａのテーパ部とが噛み合い、更に、第１のシャッタ部５１の第３の側縁部５１ｃのテーパ部と第２のシャッタ部６１の第２の側縁部６１ｂのテーパ部とが噛み合い、それぞれは、逆向きに噛み合って、結合部より内部に塵埃等が侵入することを防止すると共に、シャッタ板５ａ，５ｂが押されたとき、撓みにくくしている。
【００５１】
このとき、第１のシャッタ板５ａのガイド突起５１ｇは、ローテーションホイール４のガイド溝５５のローテーションホイール４の中央よりの一端に位置している。また、第２のシャッタ板５ｂの第１のカム部６４には、第１の制御突起６３が幅狭部６４ａに係合している。更に、第２のシャッタ板５ｂの第２の制御突起６６は、ローテーションホイール４の第２のカム部６５の第１の湾曲部６５ａに係合している。
【００５２】
そして、ローテーションホイール４は、被操作部４５で付勢部材４８の付勢力に抗して図１７中反矢印Ａ方向に回動されると、ローテーションホイール４のガイド溝５５にガイド突起５１ｇが係合された第１のシャッタ板５ａは、上シェル６の第１の支軸５２を中心にして、図１７中矢印Ｂ方向に回動する。第１のシャッタ板５ａの回動に伴って、第２のシャッタ板５ｂは、第１のシャッタ板５ａの第２の支軸６２ａを中心に、第１のシャッタ板５ａに対して矢印Ｃ方向に回動する。第２のシャッタ板５ｂの回動開始時は、ローテーションホイール４の第１の制御突起６３が係合した第１のカム部６４の幅狭部６４ａによって回動される。なお、第２のシャッタ板５ｂの回動開始時において、第２のシャッタ板５ｂの第２の制御突起６６が係合したローテーションホイール４の第２のカム部６５の第１の湾曲部６５ａは、何も作用しない。
【００５３】
更に、ローテーションホイール４が反矢印Ａ方向に回動すると、図１８に示すように、ローテーションホイール４のガイド溝５５に係合したガイド突起５１ｇは、ガイド溝５５のローテーションホイール４の外周側の他端に移動する。第１のシャッタ板５ａの回動に伴って、第２のシャッタ板５ｂは、第１のシャッタ板５ａの第２の支軸６２ａを中心に、第１のシャッタ板５ａに対して図１７中矢印Ｃ方向に回動する。すると、ローテーションホイール４の第１の制御突起６３の第１のカム部６４の拡幅部６４ｂに移動し、第２のシャッタ板５ｂに対して何も作用しなくなる。これに代わって、第２のシャッタ板５ｂの第２の制御突起６６は、第１の湾曲部６５ａから第２の湾曲部６５ｂに移動し、第２のシャッタ板５ｂを矢印Ｃ方向に回動する。これにより、図１８に示すように、第１及び第２の開口部２４，４４は、開放され、ローテーションホイール４内に収納されている光ディスク３を内外周に亘って外部に臨ませることができる。
【００５４】
ところで、カートリッジ本体２内には、図１７及び図１８に示すように、ローテーションホイール４の回転を規制することで、シャッタ板５ａ，５ｂが第２の開口部２４，４４を閉塞した状態に保持するロック機構７１が設けられている。具体的に、図１７、図１８及び図１９に示すように、このロック機構７１は、ローテーションホイール４をロックするロック部材７２を有する。ロック部材７２は、基体部７３を有し、この基体部７３には、下シェル７の内面に形成された支軸７４が挿通される軸孔７５が形成されている。また、基体部７３は、ローテーションホイール４の回動をロックするロック部７６と、記録及び／又は再生装置側のロック解除ピンとしても機能する挿入ガイドピン１００により押圧されるロック解除片７７と、基体部７３の回動を規制する回動規制片７８と、付勢部材の一端が係止される係止片７９とが形成されている。このロック部材７２は、下シェル７の背面側に形成されたアライメントホール２６ｂ側の挿入ガイド溝２５ｂ近傍に配設される。ロック部材７２は、下シェル７の支軸７４に軸孔７５が挿通されることにより下シェル７に取り付けられる。
【００５５】
なお、支軸７４は、ロック部材７２が取り付けられた際にも先端部が基体部７３より突出する。そして、突出した支軸７４の先端部は、上シェル６側に設けられた軸受部８６に係合され、落下等の衝撃が加わってもロック部材７２が支軸７４から外れないようにする、すなわち支軸７４の強度補強をしている。
【００５６】
図１９に示すように、ロック部材７２は、ロック部７６が内方を向き、ロック解除片７７が挿入ガイド溝２５ｂ内に、挿入ガイド溝２５ｂを構成する立ち上がり壁に形成された逃げ孔８０より臨まされる。また、回動規制片７８は、この立ち上がり壁に連続したボス２２に突き当たることで、ロック部材７２の回動を規制する。
【００５７】
ロック部材７２が取り付けられる支軸７４の近傍には、更に、ロック部材７２を一方向に付勢する捻りコイルバネ等の付勢部材８２が取り付けられる取付ピン８３が形成されている。この取付ピン８３には、付勢部材８２のコイル部が巻挿される。取付ピン８３に取り付けられた付勢部材８２は、一方のアーム部がボス２２に係止され、他端がロック部材の係止片７９に係止され、ロック部材７２を、ロック解除片７７が挿入ガイド溝２５ｂの開口端側に位置するように、ロック状態となる図１７中矢印Ｄ方向に付勢する。
【００５８】
基体部７３のロック部７６は、ローテーションホイール４の外周部より僅かに内方に位置する。ローテーションホイール４には、外周部よりやや内側に、基体部７３より突出したロック部７６が係合するロック溝８４が形成されている。このロック溝８４には、内側に、係合凹部８５が形成されている。係合凹部８５は、図１７中反矢印Ａ方向にローテーションホイール４が回動されようとしたとき、上手側が略垂直壁で形成され、ロック部７６の垂直壁と対向し確実に係合するようになっている。ロック部７６は、この係合凹部８５に係合することによって、ローテーションホイール４の回転をロックする。このロック溝８４は、図２０に示すように、ローテーションホイール４の光ディスク３が収納される側の面であって、リング部４３の基端部に形成された光ディスク３の外周縁を支持するテーパ部４２の下側に形成され、不必要に肉厚部を設けないようにしている。
【００５９】
なお、ロック部材７２は、摺動性に優れた弾性材料、例えばポリアセタール樹脂で形成され、下シェル７や支軸７４に対して摩擦抵抗が小さくなるように形成されている。
【００６０】
図１７を用いて、シャッタ板５ａ，５ｂが第１及び第２の開口部２４，４４を閉塞している状態を説明すると、ロック部材７２は、支軸７４を中心にして、付勢部材８２の付勢力により図１７中矢印Ｄ方向に付勢されている。このとき、ロック部７６は、内側に形成されたロック溝８４の係合凹部８５に係合している。したがって、ローテーションホイール４は、係合凹部８５にロック部７６が係合することで回動が禁止される。ここで、例えば無理に反矢印Ｄ方向にローテーションホイール４を回動する力が加わったとしても、このとき、ロック部７６は、係合凹部８５に食い込む図１７中矢印Ｄ方向の力が働く。したがって、このロック部材７２は、確実にローテーションホイール４の回転をロックすることができる。
【００６１】
また、ロック解除片７７は、図２１に示すように、逃げ孔８０より挿入ガイド溝２５ｂ内の前面開口端側に臨まされ、記録及び／又は再生装置側のロック解除ピンとなる挿入ガイドピン１００が押圧可能な状態になっている。具体的に、挿入ガイド溝２５ｂの底面は、前面側が開口されている。ロック解除片７７は、挿入ガイド溝２５ｂの底面の端面８７より更に前面開口端側に臨まされ、記録及び／又は再生装置側のロック解除ピンとなる挿入ガイドピン１００が押圧可能な状態になっている。ロック解除片７７は、挿入ガイド溝２５ｂ内に臨まされることで、誤操作が防止されている。
【００６２】
ディスクカートリッジ１が記録及び／又は再生装置に挿入されると、図２２に示すように、ロック解除ピンが挿入ガイド溝２５ｂに進入する。記録及び／又は再生装置のロック解除ピンとなる挿入ガイドピン１００は、挿入ガイド溝２５ｂに前面側開口端から進入すると、先ず、ロック解除片７７を押圧し、次いで、挿入ガイドピン１００の挿入位置を規制する規制部となる底面の端面８７に突き当たる。これと共に、挿入ガイド溝２５ａ側にも、挿入ガイドピン１００が進入する。ロック解除片７７は、挿入ガイドピン１００によって、挿入ガイドピン１００が規制部となる端面８７に突き当たるまで押圧される。すると、ロック部材７２は、図１７に示すように、支軸７４を中心に、付勢部材８２の付勢力に抗して、図１７中反矢印Ｄ方向に回動する。したがって、ロック部７６は、ロック溝８４内の係合凹部８５内の係合状態が解除され、ロック部７６は、ロック溝８４内をローテーションホイール４の回転に従って移動する。
【００６３】
なお、図２３に示すように、記録及び／又は再生装置のロック解除ピン８８の幅をＷ１とし、挿入ガイド溝２５ｂの幅をＷ２としたとき、Ｗ１≧Ｗ２／２としている。これにより、挿入ガイドピン１００がロック解除片７７を確実に押圧することができるようにしている。
【００６４】
上述したような構成を有するディスクカートリッジ１が記録及び／又は再生装置に装着される前には、図１、図２及び図１７に示すような状態にある。すなわち、一対のシャッタ板５ａ，５ｂが第１及び第２の開口部２４，４４を閉塞しているとき、ローテーションホイール４は、付勢部材４８の付勢力により図１７中矢印Ｄ方向に回動付勢された状態にあり、被操作部４５は、第１の開口部２４の一側縁に位置している。そして、被操作部４５の係合溝４５ｃは、図１１に示すように、ローテーションホイール４の第２の開口部４４近傍に形成された係合溝５０と相俟って、第１のシャッタ板５ａの浮き上がりや浮き沈みを防止している。更に、第１のシャッタ部５１の第２の側縁部５１ｂと第２のシャッタ部６１の第１の側縁部６１ａのテーパ部とが噛み合い、更に、第１のシャッタ部５１の第３の側縁部５１ｃのテーパ部と第２のシャッタ部６１の第２の側縁部６１ｂのテーパ部とが噛み合い、それぞれは、逆向きに噛み合っている。すなわち、ディスクカートリッジ１は、シャッタ板５ａ，５ｂが噛み合い、撓み変形しにくくされていると共に、シャッタ板５ａの浮き上がりが防止されていることで、カートリッジ本体２内に塵埃等の異物が侵入しないようにしている。
【００６５】
このとき、第１のシャッタ板５ａのガイド突起５１ｇは、ローテーションホイール４のガイド溝５５のローテーションホイール４の中央よりの一端に位置している。また、第２のシャッタ板５ｂの第１のカム部６４には、第１の制御突起６３が幅狭部６４ａに係合している。更に、第２のシャッタ板５ｂの第２の制御突起６６は、ローテーションホイール４の第２のカム部６５の第１の湾曲部６５ａに係合している。かくして、ディスクカートリッジ１は、図２に示すように、下シェル７の第１の開口部２４を閉塞した状態となっている。また、仮に、第１のシャッタ板５ａが押されたときであっても、第１のシャッタ板５ａの規制突起５１ｈは、光ディスク３の内周側非信号記録領域に突き当たり、第１のシャッタ部５１が光ディスク３の信号記録領域に接触することもないことから、信号記録領域に傷が付くことを防止することができる。
【００６６】
また、シャッタ板５ａ，５ｂが第１及び第２の開口部２４，４４を閉塞しているとき、ローテーションホイール４が上シェル６のリフタ１４により下シェル７側に持ち上がり、第１のシャッタ部５１の溝部５１ｆには、第１の開口部２４の周縁部に形成された凸部２７が係合され、カートリッジ本体２内に塵埃等が侵入することを防止する。
【００６７】
また、ロック機構７１について説明すると、図１７に示すように、ロック部材７２は、支軸７４を中心にして、付勢部材８２の付勢力により図１７中矢印Ｄ方向に付勢されている。このとき、ロック部７６は、ロック溝８４の係合凹部８５に係合している。したがって、ローテーションホイール４は、係合凹部８５にロック部７６が係合することで回動が禁止される。仮に無理に反矢印Ｄ方向にローテーションホイール４を回動する力が加わったとしても、このとき、ロック部７６は、係合凹部８５に食い込む図１７中矢印Ｄ方向の力が働く。したがって、このロック部材７２は、確実にローテーションホイール４の回転をロックすることができる。
【００６８】
また、ロック解除片７７は、図２１に示すように、逃げ孔８０より挿入ガイド溝２５ｂ内の前面開口端側に臨まされ、記録及び／又は再生装置側のロック解除ピンとなる挿入ガイドピン１００が押圧可能な状態になっている。具体的に、挿入ガイド溝２５ｂの底面は、前面側が開口されている。ロック解除片７７は、挿入ガイド溝２５ｂの底面の端面８７より更に前面開口端側に臨まされ、記録及び／又は再生装置側のロック解除ピンとなる挿入ガイドピン１００が押圧可能な状態になっている。
【００６９】
以上のようなディスクカートリッジ１は、記録及び／又は再生装置に対して略円弧状に形成された前面を挿入端として挿入される。記録及び／又は再生装置に挿入されると、先ず、記録及び／又は再生装置の装着部に形成された一対の挿入ガイドピン１００が挿入される。ここで、図７に示すように、挿入ガイド溝２５ａ，２５ｂは、前面開口端側が最も幅広に形成されていることから、ディスクカートリッジ１を装着部の所定位置に確実に案内することができる。また、挿入ガイド溝２５ａ，２５ｂの最奥部の幅を挿入ガイドピンの太さと略同じにしたときには、挿入ガイドピン１００を以てして、ディスクカートリッジ１を、記録及び／又は再生装置の装着部の所定位置に正確に装着することができる。
【００７０】
図２４に示すように、記録及び／又は再生装置の装着部に装着されたとき、挿入ガイドピン１００が、ロケーションホール２６ａとアライメントホール２６ｂに係合する。ここで、ロケーションホール２６ａは、ディスクカートリッジ１を装着する際の基準孔であり、アライメントホール２６ｂは、調整孔である。このディスクカートリッジ１は、記録及び／又は再生装置に挿入するとき、ロック部材７２のロック解除片７７を付勢部材８２の付勢力に抗して押圧する必要がある。そこで、ロック解除片７７は、調整側のアライメントホール２６ｂ側の挿入ガイド溝２５ｂに設けるようにして、より正確な装着部での位置決めを行うことができるようにしている。
【００７１】
そして、ディスクカートリッジ１が装着部に装着されると、挿入ガイドピン１００であるロック解除ピンは、挿入ガイド溝２５ｂに前面側開口端から進入すると、先ず、ロック解除片７７を押圧し、次いで、底面の端面８７に突き当たる。ロック解除片７７は、ロック解除ピン８８によって、ロック解除ピン８８が端面８７に突き当たるまで押圧される。すると、ロック部材７２は、図１７に示すように、支軸７４を中心に、付勢部材８２の付勢力に抗して、図１７中反矢印Ｄ方向に回動する。したがって、ロック部７６は、ロック溝８４内の係合凹部８５内の係合状態が解除され、ローテーションホイール４は、回転可能な状態になる。
【００７２】
ディスクカートリッジ１が記録及び／又は再生装置の装着部に装着されると、ローテーションホイール４は、被操作部４５で付勢部材４８の付勢力に抗して図１７中反矢印Ａ方向に回動されると、ローテーションホイール４のガイド溝５５にガイド突起５１ｇが係合された第１のシャッタ板５ａは、上シェル６の第１の支軸５２を中心にして、図１７中矢印Ｂ方向に回動する。第１のシャッタ板５ａの回動に伴って、第２のシャッタ板５ｂは、第１のシャッタ板５ａの第２の支軸６２ａを中心に、第１のシャッタ板５ａに対して図１７中矢印Ｃ方向に回動する。第２のシャッタ板５ｂの回動開始時は、ローテーションホイール４の第１の制御突起６３が係合した第１のカム部６４の幅狭部６４ａによって回動される。なお、第２のシャッタ板５ｂの回動開始時において、第２のシャッタ板５ｂの第２の制御突起６６が係合したローテーションホイール４の第２のカム部６５の第１の湾曲部６５ａは、何も作用しない。
【００７３】
更に、ローテーションホイール４が図１８中反矢印Ａ方向に回動すると、図１８に示すように、ローテーションホイール４のガイド溝５５に係合したガイド突起５１ｇは、ガイド溝５５のローテーションホイール４の外周側の他端に移動する。第１のシャッタ板５ａの回動に伴って、第２のシャッタ板５ｂは、第１のシャッタ板５ａの第２の支軸６２ａを中心に、第１のシャッタ板５ａに対して図１８中矢印Ｂ方向に回動する。すると、ローテーションホイール４の第１の制御突起６３の第１のカム部６４の拡幅部６４ｂに移動し、第２のシャッタ板５ｂに対しても作用しなくなる。これに代わって、第２のシャッタ板５ｂの第２の制御突起６６は、第１の湾曲部６５ａから第２の湾曲部６５ｂに移動し、第２のシャッタ板５ｂを図１８中矢印Ｃ方向に回動する。これにより、被操作部４５は、第１の開口部３４のテーパ部２４ｃにより拡幅された部分に位置し、第１及び第２の開口部２４，４４は、図２５に示すように、開放され、ローテーションホイール４内に収納されている光ディスク３を内外周に亘って外部に臨ませることができる。
【００７４】
すると、ローテーションホイール４内に回転可能に収納されている光ディスク３は、記録及び／又は再生装置側のディスク回転駆動機構のディスクテーブルにセンタ孔３ａが係合すると共に、上シェル６に設けられたクランピングプレート１３とディスクテーブルによって挟持され、ディスクテーブルによって回転可能な状態になる。
【００７５】
光ディスク３に情報信号を記録し、また、光ディスク３に記録された情報信号を再生するときには、光ディスク３がディスクテーブルによってＣＬＶ（constant linear velocity）、ＣＡＶ（constant angular velocity）又はこれらの組み合わせで回転される。これと共に、第１及び第２の開口部２４，４４内に進入した光ピックアップは、光ディスク３の信号記録領域に半導体レーザより出射された波長が４００ｎｍ程度の光ビームを対物レンズで集光し、光ディスク３の信号記録面に照射し、この信号記録面で反射された戻りの光ビームを検出することによって、光ディスク３に情報信号を記録し、又は、光ディスク３に記録された情報信号の読み出しを行う。
【００７６】
なお、ディスクカートリッジ１が記録及び／又は再生装置より排出されると、ローテーションホイール４は、付勢部材４８の付勢力により図１８中矢印Ｄ方向に回動し、図１８の状態から図１７の状態に戻る。そして、ロック部材７２のロック部７６はロック溝８４内を移動し、係合凹部８５に係合し、第１及び第２の開口部２４，４４を閉塞した状態に戻る。
【００７７】
以上、本発明を適用した小型のディスクカートリッジ１を例に取り説明したが、本発明はこれに限定されるものではなく、例えば、特許文献１に示されたような標準的大きさのディスクカートリッジに適用することもできる。
【図面の簡単な説明】
【００７８】
【図１】本発明を適用したディスクカートリッジを上シェル側から見た斜視図である。
【図２】上記ディスクカートリッジを下シェル側から見た斜視図である。
【図３】上記カートリッジの分解斜視図である。
【図４】上記ディスクカートリッジを構成する上シェルの内面側から見た平面図である。
【図５】上記上シェルの前面側の要部斜視図である。
【図６】上記カートリッジを構成する下シェルの内面側から見た平面図である。
【図７】挿入ガイド溝と挿入ガイドピンとの関係を説明する要部平面図である。
【図８】ローテーションホイールを光ディスクが収納される面側から見た斜視図である。
【図９】ローテーションホイールを下シェル側の面から見た斜視図である。
【図１０】ローテーションホイールに形成された被操作部を説明する要部斜視図である。
【図１１】シャッタ板の浮き上がり防止機構を説明する要部斜視図である。
【図１２】ローテーションホイールを一方向に付勢する付勢部材の係止突起を説明する要部断面図である。
【図１３】シャッタ板とローテーションホイールとを示す斜視図である。
【図１４】第１のシャッタ板の回動支持構造を説明する要部断面図である。
【図１５】第１のシャッタ板のガイド機構を説明する要部断面図である。
【図１６】第２のシャッタ板の回動支持構造を説明する要部断面図である。
【図１７】シャッタ板が開口部を閉塞した状態を下シェル及び光ディスクを除いた状態で示す平面図である。
【図１８】シャッタ板が開口部を開放した状態を下シェル及び光ディスクを除いた状態で示す平面図である。
【図１９】ロック機構の分解斜視図である。
【図２０】ローテーションホイールのテーパ部とロック溝との関係を示すローテーションホイールの要部断面図である。
【図２１】ロック解除片が臨まされた挿入ガイド溝にロック解除ピンが挿入されていない状態を示す要部断面図である。
【図２２】挿入ガイド溝にロック解除ピンが挿入された状態を示す要部断面図である。
【図２３】挿入ガイド溝の幅とロック解除ピンの太さとの関係を説明する要部正面図である。
【図２４】挿入ガイド溝とロケーションホールとアライメントホールとの関係を示す平面図である。
【図２５】第１の開口部を開放した状態を示すディスクカートリッジの斜視図である。
【符号の説明】
【００７９】
１  ディスクカートリッジ、２  カートリッジ本体、３  光ディスク、４  ローテーションホイール、５ａ，５ｂ  シャッタ板、６  上シェル、７  下シェル、４５  被操作部、４５ａ  第１の被操作片、４５ｂ  第２の被操作片、４５ｃ  係合溝、５０  係合溝、７１  ロック機構、７２  ロック部材、７３  基体部、７４  支軸、７５  軸孔、７６  ロック部、７７  ロック解除片
【図１】
2005078676.tif 000003
【図２】
2005078676.tif 000004
【図３】
2005078676.tif 000005
【図４】
2005078676.tif 000006
【図５】
2005078676.tif 000007
【図６】
2005078676.tif 000008
【図７】
2005078676.tif 000009
【図８】
2005078676.tif 000010
【図９】
2005078676.tif 000011
【図１０】
2005078676.tif 000012
【図１１】
2005078676.tif 000013
【図１２】
2005078676.tif 000014
【図１３】
2005078676.tif 000015
【図１４】
2005078676.tif 000016
【図１５】
2005078676.tif 000017
【図１６】
2005078676.tif 000018
【図１７】
2005078676.tif 000019
【図１８】
2005078676.tif 000020
【図１９】
2005078676.tif 000021
【図２０】
2005078676.tif 000022
【図２１】
2005078676.tif 000023
【図２２】
2005078676.tif 000024
【図２３】
2005078676.tif 000025
【図２４】
2005078676.tif 000026
【図２５】
2005078676.tif 000027